(57)【要約】【課題】農作物の根部や変形した部分にブラシが深く届くようにして農作物の表面を隅々まで充分に洗浄研磨する。【解決手段】複数のブラシロールを所定間隔おいて並設し、ブラシロールの上方に研磨体を所定間隔おいて設け、各ブラシロールを水に濡らす濡水手段を設け、各ブラシロールを回転させる駆動手段を設け、農作物の表面をブラシロールで洗浄研磨しながら搬送できるようにした農作物洗浄研磨装置であって、隣接する一対の各ブラシロールのブラシ毛の全部又は一部を対向部分で重なり合う長さとし、しかも同各ブラシ毛同士が当たらないように互い違いに植毛し、農作物の表面にブラシ面が深く届くようにして農作物の表面を隅々まで洗浄研磨できるようにした。【選択図】　　　　　図１
2004105062.tif 000002
【特許請求の範囲】
【請求項１】
回転軸の外周にブラシ毛が植毛された複数本のブラシロールを所定間隔おいて並設し、同ブラシロールの上方に研磨体をブラシロールと所定間隔おいて設け、各ブラシロールを水に濡らす濡水手段を設け、各ブラシロールを農作物の送り方向に回転させる駆動手段を設け、農作物の表面を各ブラシロールと研磨体とで洗浄研磨しながらブラシロールの回転で搬送するようにした農作物洗浄研磨装置において、隣接する一対のブラシロールのブラシ毛の全部又は一部を対向部分で重なり合う長さとし、しかも同各ブラシ毛同士が当たらないように互い違いとなる位置に植毛し、農作物の表面にブラシ毛が深く届くようにして農作物の表面を隅々まで洗浄研磨できるようにしたことを特徴とする農作物洗浄研磨装置。
【請求項２】
農作物の根部が送られてくる位置のブラシロールのブラシ毛を互い違いに重なり合う長さにした請求項１記載の農作物洗浄研磨装置。
【請求項３】
ブラシロールの長手方向両端側に位置するブラシ毛を互い違いに重なり合う長さにした請求項１記載の農作物洗浄研磨装置。
【請求項４】
上方の研磨体がスポンジ又はブラシで構成されたものである請求項１〜３いずれか記載の農作物洗浄研磨装置。
【請求項５】
濡水手段が、ブラシロールの下方に貯水した容器を各ブラシロールの一部が浸漬するように設けたものである請求項１〜４いずれか記載の農作物洗浄研磨装置。
【発明の詳細な説明】
【０００１】
【発明の属する技術分野】
本発明は、大根や人参，芋類の農作物を連続的に洗浄研磨しながら搬送する農作物洗浄研磨装置に関する。
【０００２】
【従来の技術】
従来の農作物洗浄研磨装置は、貯水した容器に複数本のブラシロールを所定間隔おいて一部が貯水に浸漬するように並設し、ブラシロールの上方に農作物をブラシロールと挟持するスポンジやブラシからなる研磨体を所定高さに設け、ブラシロールと研磨体の間に農作物を配置し、各ブラシロールを回転させて農作物を洗浄研磨しながら搬送できるようにした構成が一般的である。
【０００３】
ところで、前記構成の各ブラシロールのブラシ毛の長さは、隣接するブラシロールの対向部分で接触するか又はしない程度の均等な長さであるため、農作物の根部等外径が狭幅な部分や変形した部分にはブラシ毛が届き難くなり、洗い残しが発生して洗浄研磨が不充分となる問題があった。
【０００４】
【発明が解決しようとする課題】
本発明が解決しようとする課題は、従来のこれらの問題点を解消し、農作物の根部や変形した部分にブラシ毛が深く届くようにして農作物の表面を隅々まで充分に洗浄研磨できるようにした農作物洗浄研磨装置を提供することにある。
【０００５】
【課題を解決するための手段】
かかる課題を解決した本発明の構成は、
１）　回転軸の外周にブラシ毛が植毛された複数本のブラシロールを所定間隔おいて並設し、同ブラシロールの上方に研磨体をブラシロールと所定間隔おいて設け、各ブラシロールを水に濡らす濡水手段を設け、各ブラシロールを農作物の送り方向に回転させる駆動手段を設け、農作物の表面を各ブラシロールと研磨体とで洗浄研磨しながらブラシロールの回転で搬送するようにした農作物洗浄研磨装置において、隣接する一対のブラシロールのブラシ毛の全部又は一部を対向部分で重なり合う長さとし、しかも同各ブラシ毛同士が当たらないように互い違いとなる位置に植毛し、農作物の表面にブラシ毛が深く届くようにして農作物の表面を隅々まで洗浄研磨できるようにしたことを特徴とする農作物洗浄研磨装置
２）　農作物の根部が送られてくる位置のブラシロールのブラシ毛を互い違いに重なり合う長さにした前記１）記載の農作物洗浄研磨装置
３）　ブラシロールの長手方向両端側に位置するブラシ毛を互い違いに重なり合う長さにした前記１）記載の農作物洗浄研磨装置
４）　上方の研磨体がスポンジ又はブラシで構成されたものである前記１）〜３）いずれか記載の農作物洗浄研磨装置
５）　濡水手段が、ブラシロールの下方に貯水した容器を各ブラシロールの一部が浸漬するように設けたものである前記１）〜４）いずれか記載の農作物洗浄研磨装置
にある。
【０００６】
【作用】
本発明によれば、隣接する一対のブラシロールのブラシ毛が対向部分で重なり合う長さで他のブラシ毛より長いから、農作物の根部等外径が狭幅な部分や変形した部分にブラシ毛が確実に深く届き、洗い残しすることなく隅々まで充分に洗浄研磨される。しかも、ブラシ毛同士は当たらないように互い違いに植毛したから、ブラシロールの回転時にブラシ毛同士が直接接触し難くなり、抵抗及び負荷が軽減される。
【０００７】
【発明の実施の形態】
本発明のブラシロールのブラシ毛は、大根用としてはその根部が送られてくる領域で重なり合う長さにし、他の領域は従来通り接触するか又はしない程度の均等の長さにし、サツマ芋等の長物でない場合は、ブラシロールの長手方向両端側に位置するブラシ毛を互い違いに重なり合う長さにし、他の領域を従来通りの長さにするとよい。研磨体は平板でも良いが、スポンジやブラシで構成すると各ブラシロールと相まって農作物の表面を効果的に洗浄研磨できる。
【０００８】
濡水手段としては、貯水した容器に各ブラシロールのおよそ下半分を浸漬させてブラシロールの回転で水を撥ね上げるようにした構成が低コストで一般的であるが、農作物の上方や側面、あるいは下方から直接散水して農作物やブラシロールを濡らす散水機構を設けてもよい。本発明の農作物洗浄研磨装置は、主として大根や人参等の長物の農作物に適するが、その他芋類、果物等にも十分応用可能である。以下、本発明の実施例を図面に基づいて具体的に説明する。
【０００９】
【実施例】
図１〜１０に示す実施例は、大根を洗浄研磨する装置に本発明を適用した例である。図１は実施例の農作物洗浄研磨装置の右側面図、図２は実施例の農作物洗浄研磨装置の左側面図、図３は実施例の農作物洗浄研磨装置の正面図、図４は実施例の農作物洗浄研磨装置の背面図、図５は実施例のブラシロール群の側面図、図６は実施例のブラシロール群の平面図、図７，８は実施例の農作物の洗浄状態を示す説明図、図９は図８のＡ−Ａ断面図、図１０は図８のＢ−Ｂ断面図である。
【００１０】
図中、１は機体、１ａはフレーム、１ｂはスポンジを吊設する吊設体、１ｃは吊設体を上方に開放自在に軸支する蝶番、１ｄはスポンジを下方に付勢して農作物の大きさや形状に応じて上下動させるバネ、２は容器、２ａは排水口、３は第１ブラシロール、３ａは回転軸、３ｂはブラシ毛、４は第２ブラシロール、４ａは回転軸、４ｂは大ブラシ毛、４ｃは小ブラシ毛、５はスポンジからなる研磨体、６はモータ、６ａは出力軸、６ｂ，６ｃはチェーン、７は投入台、８はシュート、９はキャスター、１０は水ハネを防止するカバー、Ｄは農作物大根、Ｗは水である。
【００１１】
図１〜４に示すように、機体１に排水口２ａを下面に備えた容器２を設けるとともにその上方の前後端に第１ブラシロール３を、第１ブラシロール３間に第２ブラシロール４を６体それぞれ軸支し、それら上方に各ブラシロールの形状に合わせて下面を湾曲状に形成したスポンジからなる研磨体５を吊設体１ｂで上方に開放自在に軸支し、下方のフレーム１ａに取り付けたモータ６の出力軸６ａと第１及び第２ブラシロール３，４の回転軸３ａ，４ａの軸端同士にそれぞれチェーン６ｂを張り渡している。
【００１２】
図５，６に示すように、各第２ブラシロール４の回転軸の農作物Ｄの根部側が送られてくる部分に隣接する一対の第２ブラシロール４の対向するブラシ毛同士が５０ｍｍ重なり合う長さの１７ｍｍピッチの大ブラシ毛４ｂを互い違いに植毛して外径１８７ｍｍとし（Ａ部分）、他の部分に対向するブラシ毛同士が接触しない長さの１２ｍｍピッチの小ブラシ毛４ｃを植毛して外径１３７ｍｍとしている（Ｂ部分）。
【００１３】
本実施例では、モータ６を作動させて第１及び第２ブラシロール３，４を回転させ、投入台７に農作物Ｄを第１ブラシロール３の長手方向に沿って並行に載置すると、図７（ａ）〜（ｃ）に示すように農作物Ｄが第１及び第２ブラシロール３，４の回転力により同ロールと逆方向に転動しながらシュート８側に搬送され、この第１及び第２ブラシロール３，４と研磨体５の上下からの摩擦力で農作物Ｄの表面を研磨し、撥ね上げられた水Ｗで汚れを洗い流して洗浄される。
【００１４】
図８，９に示すように、農作物Ｄの葉側は外径が太いため小ブラシ毛４ｃでも届き充分に洗浄研磨される。農作物Ｄの根側は葉側より外径が狭幅であるから、小ブラシ毛４ｃでは届かず洗い残しが生じることがある。しかし、根側に位置する大ブラシ毛４ｂを大径としているから、農作物Ｄの表面にブラシが確実に深く届き、洗い残しすることなく隅々まで充分に洗浄研磨される。しかも大ブラシ毛４ｂの対向するブラシ毛同士を当たらないように互い違いに植毛させたから、回転時にブラシ毛同士が直接接触し難くなり、回転の抵抗及びモータ６の負荷が軽減される。
【００１５】
図１１に示すのは、第２ブラシロールの回転軸の長手方向全周に渡って大ブラシ毛を植毛した実施例の他の例である。図１１は実施例の他の例のブラシロール群の平面図である。
【００１６】
実施例の他の例では、図１１のＡ部分に示すように第２ブラシロール４の回転軸４ａの長手方向全周に渡って大ブラシ毛４ｂを対向部分で当たらないように互い違いに植毛したから、農作物が長手方向に渡って通常より細幅又は変形していても、大ブラシ毛４ｂが全周に確実に深く届き、実施例と比較して洗い残しがより少ない。その他、符号、構成は実施例と同じである。
【００１７】
図１２，１３に示すのは、第２ブラシロールの回転軸の長手方向両端部に大ブラシ毛を植毛した実施例の他の例である。図１２，１３は実施例の他の例の農作物の洗浄状態を示す説明図である。図中、Ｐは農作物（サツマ芋）である。
【００１８】
図１２に示す実施例の他の例は、両端部の大ブラシ毛４ｂを中央部の小ブラシ毛４ｃより長幅に植毛し、サツマ芋等の農作物Ｐに適するように構成している。図１３に示す実施例の他の例は、両端部の大ブラシ毛４ｂを中央部の小ブラシ毛４ｃより短幅に植毛し、長さの短い大根等の農作物Ｄに適するように構成している。その他、符号、構成、作用は実施例と同じである。
【００１９】
【発明の効果】
以上説明したように、本発明によれば農作物の根部や変形した部分にブラシが確実に深く届くようにして農作物の表面を隅々まで充分に洗浄研磨し得る農作物洗浄研磨装置を提供できる。
【図面の簡単な説明】
【図１】実施例の農作物の洗浄研磨装置の右側面図である。
【図２】実施例の農作物洗浄研磨装置の左側面図である。
【図３】実施例の農作物洗浄研磨装置の正面図である。
【図４】実施例の農作物洗浄研磨装置の背面図である。
【図５】実施例のブラシロール群の側面図である。
【図６】実施例のブラシロール群の平面図である。
【図７】実施例の農作物の洗浄状態を示す説明図である。
【図８】実施例の農作物の洗浄状態を示す説明図である。
【図９】図８のＡ−Ａ断面図である。
【図１０】図８のＢ−Ｂ断面図である。
【図１１】実施例の他の例のブラシロール群の平面図である。
【図１２】実施例の他の例の農作物の洗浄状態を示す説明図である。
【図１３】実施例の他の例の農作物の洗浄状態を示す説明図である。
【符号の説明】
１　機体
１ａ　フレーム
１ｂ　吊設体
１ｃ　蝶番
１ｄ　バネ
２　容器
２ａ　排水口
３　第１ブラシロール
３ａ　回転軸
３ｂ　ブラシ毛
４　第２ブラシロール
４ａ　回転軸
４ｂ　大ブラシ毛
４ｃ　小ブラシ毛
５　研磨体
６　モータ
６ａ　出力軸
６ｂ　チェーン
７　投入台
８　シュート
９　キャスター
１０　カバー
Ｄ，Ｐ　農作物
Ｗ　水
【図１】
2004105062.tif 000003
【図２】
2004105062.tif 000004
【図３】
2004105062.tif 000005
【図４】
2004105062.tif 000006
【図５】
2004105062.tif 000007
【図６】
2004105062.tif 000008
【図７】
2004105062.tif 000009
【図８】
2004105062.tif 000010
【図９】
2004105062.tif 000011
【図１０】
2004105062.tif 000012
【図１１】
2004105062.tif 000013
【図１２】
2004105062.tif 000014
【図１３】
2004105062.tif 000015